(57)【要約】  本発明は、装飾リングを有する洗濯機の扉体であって、時間表示モジュール（４）と、ライトバンド（９）と、制御手段と、中枠（５）と、を備え、中枠（５）の上に時間表示モジュール（４）と、ＬＥＤライトからなるライトバンド（９）と、制御手段と、が取り付けられ、中枠（５）の上部に取付枠が取り付けられ、取付枠に時間表示モジュール（４）が取り付けられており、中枠（５）に適合する形状が設けられる装飾リング（３）をさらに備え、装飾リング（３）は、膜層と、ベース（３−１）と、を備え、ベース（３−１）は、時間表示モジュール（４）に対応する時間表示領域（３−１−１）と、残りの領域である光表示領域（３−１−２）と、を備え、装飾リング（３）は、時間表示領域（３−１−１）における光透過率が光表示領域（３−１−２）における光透過率より大きい。また、当該扉体を用いる洗濯機及び洗濯方法であって、洗濯機が通電する場合、ユーザは時間表示モジュール（４）とライトバンド（９）の光は見えるが、ＬＥＤライトは見えない。洗濯機が非通電の場合、時間表示モジュール（４）とライトバンド（９）とも遮蔽状態になる。【選択図】図１
2019509828.tif 000002
【特許請求の範囲】
【請求項１】
装飾リングを有する洗濯機の扉体であって、時間表示モジュールと、ＬＥＤライトからなるライトバンドと、制御手段と、前記時間表示モジュールと前記ライトバンドと前記制御手段とが取り付けられる中枠と、を備え、前記中枠の上部に取付枠が設けられ、前記取付枠に前記時間表示モジュールが取り付けられており、
前記中枠に適合する形状が設けられる装飾リングをさらに備え、前記装飾リングは、膜層と、ベースと、を備え、前記ベースは、前記時間表示モジュールに対応する領域である時間表示領域と、残りの領域である光表示領域と、を備え、前記装飾リングは、前記時間表示領域における光透過率が前記光表示領域における光透過率より大きい、
ことを特徴とする装飾リングを有する洗濯機の扉体。
【請求項２】
前記ベースの外面に凹凸形状のパターンが設けられ、前記パターンは菱形または正方形またはダイヤモンド形であることを特徴とする請求項１に記載の装飾リングを有する洗濯機の扉体。
【請求項３】
前記ベースは透明材料を用い、前記膜層は、内膜と、外膜と、を備え、前記外膜は、真空メッキまたはフィルム転写の方法によって前記ベースの外面に形成され、前記内膜は半透明膜であり、前記時間表示領域以外の光表示領域に付着し、前記時間表示領域の膜層の厚みは前記光表示領域の膜層の厚みより小さいことを特徴とする請求項２に装飾リングを有する洗濯機の扉体。
【請求項４】
前記内膜は、前記ベースの内面の光表示領域に白色塗料を塗布し、または拡散フィルムを貼り付け、または拡散油を吹き付けることにより形成されることを特徴とする請求項３に記載の装飾リングを有する洗濯機の扉体。
【請求項５】
前記ベースの透明材料は、透明なＡＢＳ、または透明なＰＣ、または透明なアクリルの材料を用いることを特徴とする請求項３に記載の装飾リングを有する洗濯機の扉体。
【請求項６】
前記ベースの透明材料にカラーマスターバッチを添加することを特徴とする請求項５に記載の装飾リングを有する洗濯機の扉体。
【請求項７】
前記ベースは透明材料を用い、前記膜層は一層の外膜であり、前記外膜は、真空メッキまたはフィルム転写の方法によって前記ベースの外面に形成され、前記装飾リングと前記中枠との間に配置される半透明のシェードをさらに備え、前記半透明のシェードの位置は、前記光表示領域に対応することを特徴とする請求項２に記載の装飾リングを有する洗濯機の扉体。
【請求項８】
前記半透明のシェードは、霧化処理させたガラス、またはつや消しガラス、または光透過率が３０％〜９０％である半透明のプラスチックを用いることを特徴とする請求項７に記載の装飾リングを有する洗濯機の扉体。
【請求項９】
前記ベースの時間表示領域は透明材料を用い、前記ベースの光表示領域は半透明材料を用い、前記透明材料の時間表示領域をインサート部材として、前記膜層は一層の外膜であり、前記外膜は、真空めっきやフィルム転写の方法によって形成されていることを特徴とする請求項２に記載の装飾リングを有する洗濯機の扉体。
【請求項１０】
前記装飾リングと前記中枠との間に位置決め構造が取り付けられ、係合フックと係合孔、またはクラッディングの方法によって組立てられることを特徴とする請求項１から９のいずれかの一項に記載の装飾リングを有する洗濯機の扉体。
【請求項１１】
洗濯機であって、
請求項１から１０のいずれかの一項に記載の装飾リングを有する洗濯機の扉体を用いることを特徴とする洗濯機。
【請求項１２】
請求項１１に記載の洗濯機を用いる洗濯方法であって、
通電の場合、ユーザは、前記時間表示モジュールと光を見ることができ、非通電の場合、ユーザは、前記時間表示モジュールと前記ライトバンドを見ることができない、具体的には、以下のステップを含み、
Ａ．洗濯機を通電し、洗浄プログラムを選択し、洗濯機は洗濯に必要とする総稼働時間を自動的に算出し、前記制御手段は、前記時間表示モジュールと前記ライトバンドを制御し、
Ｂ．スタートボタンを押し、洗濯行程では、前記装飾リング全体は可透視状態となり、前記時間表示領域における光透過率が前記光表示領域における光透過率より高く、前記時間表示モジュールが表示する残り作動時間は見える表示状態となり、前記ライトバンドの光は表示状態となり、ライトが見えなくなり、
Ｃ．洗濯が完了した後、電気を切断し、前記装飾リング全体は非透視状態となり、前記時間表示モジュールと前記ライトバンドは遮蔽状態となることを特徴とする洗濯方法。
【発明の詳細な説明】
【技術分野】
【０００１】
本発明は、洗濯機及び洗濯方法に関し、特に装飾リングを有する洗濯機の扉体に関し、具体的には、時間表示モジュールと、ライトバンドと、を有する洗濯機の扉体に装飾リングを追加することによって、時間表示モジュールとライトバンドを表示若しくは遮蔽するよう制御する。装飾リングの加工プロセスを革新することによって、ライトが点灯する場合、ユーザは、時間表示モジュールと、ＬＥＤの光と、を見ることができるが、ＬＥＤライトを見ることができない。
【背景技術】
【０００２】
現在、洗濯機の使用が普及され、洗濯機は、ドラム式洗濯機と、パルセーター式洗濯機と、撹拌式洗濯機と、複動式洗濯機と、を含む。技術の発展及び消費者のニーズの向上に従って、より多くの洗濯機の製造メーカーは、ドラム式洗濯機の扉体にＬＥＤライトまたはニキシー管の表示などのモードを追加し、ユーザに残り洗浄時間を表示させ、見栄えを良くするために、洗濯機の扉体にＬＥＤライトを円周上に取り付ける。但し、洗濯機が通電する場合、従来技術の時間表示モジュール及びＬＥＤライトは、非常に見栄えがよいが、非通電の場合も、消費者は外部から時間表示モジュールとＬＥＤライトを見ることができ、外から部品の各部分が乱雑に見え、洗濯機全体の美しさに影響を与える。そのため、市場調査をしたところによると、洗濯機を使用している間に、ユーザは状態表示を見ることができるが、洗濯機を使用していない間は、ユーザは外から内部に位置する時間表示モジュールとＬＥＤライトが見えないことを希望している。一方、時間表示モジュールと、ＬＥＤライトとは電気機器であり、十分な湿気防止の保護処置がないと、湿気が侵蝕した後、故障する恐れがある。
【０００３】
従来技術である中国実用新案（ＺＬ２０１０２０５２１４６０．６）の発明名称は、洗濯機の制御パネルのＬＥＤライト表示装置であり、洗濯機の制御パネルのＬＥＤ光表示装置を開示し、洗濯機の部品の技術領域に関し、制御パネルと、ＬＥＤライト本体と、を備え、また、前記両方の間に透明シリカゲル導光板が別に設けられている。シリカゲル板は良好な発散光源の特性を有するので、ＬＥＤの光はシリカゲル導光板を通して点光源から面光源に均一に発散して制御パネルの光効果領域に照射し、有効な効果は制御パネルの光透過部が均一に照明されるが、非通電の場合、ＬＥＤライト本体が見えるので、全体として美しく見えない。
【０００４】
従来技術である中国実用新案（ＣＮ２０２１１６８７８Ｕ）の発明名称は、洗浄装置であり、この実用新案はユーザが扉体の制御部を操作して、洗濯機全体を洗浄行程が完了するよう駆動することができるという技術的解決手段を開示している。また、従来技術である中国実用新案（２００８２００３８３７３．８）の発明名称は、時計機能を有する洗濯機の扉または乾燥機の扉であり、この実用新案は時計機能を有する洗濯機の扉や乾燥機の扉を提供することを目的とする。扉体を備え、時計モジュールは扉体の扉枠に設置され、時計モジュールに透明な観察窓を配置している。時計モジュールは普通の時計として使用してもよく、重要なプログラムの時間をその中に設定し、洗濯機の動作行程でタイマーとして使用してもよい。
【０００５】
従来技術の特許では、扉枠内に時計モジュールが取り付けられ、透明状態となり、密閉性不良によって時計モジュールが品質上の問題になりやすく、且つ、非通電状態の場合、時計モジュールが見え、全体的な美しさに影響を与える。
【発明の概要】
【発明が解決しようとする課題】
【０００６】
本発明は、上記従来技術の欠点に基づいて、時間表示モジュールと、ライトバンドと、を有する洗濯機の扉体の外観は、美しくなく、且つ電気部品は故障が発生しやすいという技術的な課題を解決する。
【課題を解決するための手段】
【０００７】
本発明は、洗濯機の扉体に装飾リングを追加することによって、消費者の個人的ニーズを満たし、通電の場合、時間表示モジュールとＬＥＤの光が表示状態となり、ＬＥＤライトが見えず、非通電の場合、遮蔽状態になる効果を目的とする。
【０００８】
本発明の目的を達成するために、本発明は、次の技術的解決手段を用いる。
【０００９】
装飾リングを有する洗濯機の扉体であって、時間表示モジュールと、ＬＥＤライトからなるライトバンドと、制御手段と、前記時間表示モジュール、前記ライトバンド、前記制御手段が取り付けられる中枠と、を備え、前記中枠の上部に取付枠が設けられ、取付枠に時間表示モジュールが取り付けられており、前記中枠に適合する形状が設けられる装飾リングをさらに備え、前記装飾リングは、膜層と、ベースと、を備え、前記ベースは、前記時間表示モジュールに対応する領域である時間表示領域と、残りの領域である光表示領域と、を備え、前記装飾リングは、時間表示領域における光透過率が光表示領域における光透過率より大きく、光表示領域では光だけは見えるが、ライトは見えない。
【００１０】
前記ベースの外面に凹凸形状のパターンが設けられ、前記パターンは菱形または正方形またはダイヤモンド形である。
【００１１】
前記ベースは透明材料を用い、前記膜層は、内膜と、外膜と、を備え、外膜は、真空メッキまたはフィルム転写の方法によって前記ベースの外面に形成され、前記内膜は、半透明膜であり、時間表示領域以外の光表示領域に付着し、前記時間表示領域の膜層の厚みは光表示領域の膜層の厚みより小さい。
【００１２】
前記内膜は、前記ベースの内面の光表示領域に白色塗料を塗布し、または拡散フィルムを貼り付け、または拡散油を吹き付けることにより形成される。
【００１３】
前記ベースの透明材料は、透明なＡＢＳ、または透明なＰＣ、または透明なアクリルの材料を用いる。
【００１４】
さらに、前記ベースの透明材料にカラーマスターバッチを添加する。
【００１５】
装飾リングを有する洗濯機の扉体の第２の技術的解決手段であって、前記ベースは透明材料を用い、前記膜層は一層の外膜であり、外膜は、真空メッキまたはフィルム転写の方法によって前記ベースの外面に形成され、前記装飾リングと前記中枠との間に配置される半透明のシェードをさらに備え、シェード位置は、光表示領域に対応する。
【００１６】
さらに、前記シェードは、霧化処理させたガラス、またはつや消しガラス、または光透過率が３０％〜９０％である半透明のプラスチックを用いる。
【００１７】
装飾リングを有する洗濯機の扉体の第３の技術的解決手段であって、前記ベースの時間表示領域は透明材料を用い、前記ベースの光表示領域は半透明材料を用い、透明材料の時間表示領域をインサート部材として光表示領域と結合され、前記膜層は、一層の外膜であり、前記外膜は、真空めっきやフィルム転写の方法によって形成されている。
【００１８】
前記装飾リングと前記中枠との間に位置決め構造が取り付けられ、係合フックと係合孔、またはクラッディングの方法によって組立てられる。
【００１９】
洗濯機であって、上述の前記装飾リングを有する洗濯機の扉体を用いる。
【００２０】
本発明はさらに洗濯機の洗濯方法に関し、通電の場合、ユーザは、時間表示モジュールとＬＥＤの光を見ることができ、且つＬＥＤライトを見ることができない。非通電の場合、ユーザは、時間表示モジュールとライトバンドを見ることができない、具体的には、以下のステップを含む。
【００２１】
Ａ．洗濯機を通電し、洗浄プログラムを選択し、洗濯機は洗濯に必要とする総稼働時間を自動的に算出し、制御手段は、時間表示モジュールとライトバンドを制御する。
【００２２】
Ｂ．スタートボタンを押し、洗濯行程では、前記装飾リング全体は可透視状態となり、前記時間表示領域における光透過率が光表示領域における光透過率より高く、前記時間表示モジュールが表示する残り作動時間と、ＬＥＤライトの光の両方とも見える表示状態となり、光表示領域において、光のみは見えるが、ライトは見えない。
【００２３】
Ｃ．洗濯が完了した後、電気を切断し、前記装飾リング全体は非透視状態となり、前記時間表示モジュールと前記ライトバンドは遮蔽状態となる。
【発明の効果】
【００２４】
上記の技術的解決手段を採用することにより、本発明は、洗濯機の扉体の構造を改善し、装飾リングを追加し、装飾リングの加工プロセスを革新することによって、洗濯機の機能をさらに完璧にする。エルゴ設計によって洗濯機の残り作業時間及びＬＥＤの光を表示し、または遮蔽することができ、即ち、通電の場合、時間表示モジュールとＬＥＤの光とは見え、ＬＥＤライトは見えないが、非通電の場合、遮蔽することができ、時間表示モジュールとＬＥＤライトとを追加しても、洗濯機全体の外観の完璧性に影響を与えず、装飾リングを追加し、時間表示モジュールと、ＬＥＤライトと、制御手段との電気部品に対して湿気防止、障害回避の保護役割を果たす。
【図面の簡単な説明】
【００２５】
【図１】実施例１に係る装飾リングを有する洗濯機の扉体の観察窓のユニット組立の分解図である。
【００２６】
【図２】実施例２に係る装飾リングを有する洗濯機の扉体の観察窓のユニット組立の分解図である。
【００２７】
【図３】実施例２の断面図である。
【００２８】
【図４】図３の部分拡大図である。
【００２９】
【図５】実施例３に係る装飾リングを有する洗濯機の扉体の観察窓のユニット組立の分解図である。
【００３０】
【図６】装飾リングの背面斜視図である。
【００３１】
【図７】装飾リングの正面図である。
【００３２】
【図８】装飾リングの断面図である。
【００３３】
【図９】中枠の正面斜視図である。
【００３４】
【図１０】中枠の背面図である。
【００３５】
１  外枠
２  観察窓画面
３  装飾リング
３−１  ベース
３−２  外膜
３−３  内膜
３−１−１  時間表示領域
３−１−２  光表示領域
３−４  係合フック
３−５  突リブ
４  時間表示モジュール
５  中枠
５−１  実装領域
５−２  ライト溝
５−３  係合孔
６  シールリング
７  ガラス
８  内枠
９  ライトバンド
１０  シェード
１１  パターン
【発明を実施するための形態】
【００３６】
次に、図面を併せて本発明に係る装飾リングを有する洗濯機の扉体の好ましい実施例の技術的解決手段を詳細に説明する。
【００３７】
実施例１
【００３８】
図１に示すように、本発明に係る装飾リングを有する洗濯機の扉体は、前面板部材（図示せず）と、観察窓のユニット組立と、を備え、観察窓のユニット組立は、外側から順に外枠１と、観察窓画面２と、装飾リング３と、時間表示モジュール４と、中枠５と、シールリング６と、ガラス７と、内枠８と、ＬＥＤライトからなるライトバンド９と、を備える。
【００３９】
図９、図１０に示すように、ライトバンド９は中枠の環状のライト溝５−２に取り付けられ、装飾リング３と中枠５は位置決め手段を有し、係合フック３−４と係合孔５−３によって組立てられる。ガラス７の凸面は裏向きで、観察窓部材は、洗濯機の前面板部材の中間部に取り付けられ、組立によって洗濯機の扉体になる。中枠５の上部中央部に時間表示モジュール４の実装領域５−１が設けられ、時間表示モジュール４は実装領域５−１に嵌合され、制御手段は時間表示モジュールの実装領域５−１に近い実装枠に取り付けられている。
【００４０】
図６〜図８に示すように、装飾リング３は環状であり、その全体の形状及び大きさは中枠５に適合し、装飾リング３は、ベース３−１と、外膜３−２と、内膜３−３と、を備え、ベース３−１は、それぞれ時間表示モジュールに対応する時間表示領域３−１−１と、残りの部分である光表示領域３−１−２との二つ領域に分けられる。時間表示領域３−１−１の周囲は突リブ３−５を有し、その役割は、時間表示領域と光表示領域とを区分して仕切するものである。
【００４１】
実施例１では、ベース３−１は透明材料であり、透明ＡＢＳ、または透明なＰＣ、または透明なアクリルを選択することができる。ベース３−１の外面に凹凸状のパターンが設けられ、前記パターンは菱形、または正方形、またはダイヤモンド形などの特殊形状であり、ここで、全部は列挙しない。
【００４２】
ベース３−１の外面はパターンを有するので、外膜３−２はベースの外面に位置し、真空メッキまたはフィルム転写の方法によって形成される。内膜３−３はベースの内面に位置し、白色塗料を塗布し、または拡散フィルムを貼り付け、または拡散油を吹き付ける方法によって形成される。特別に注意すべきは、内膜３−３は時間表示領域３−１−１の位置に設けることができず、つまり、時間表示領域３−１−１の周囲の突リブは、時間表示領域を白色塗料で塗布できず、または拡散フィルムを貼り付けることができず、または拡散油を塗布できない。
【００４３】
外膜３−２は、ベース３−１の外面に電気めっきによって形成され、電気めっきのプロセスは直接電気めっきの方法または真空蒸着の方法を用いてもよい。外膜の材料は、一般的にアルミニウム、チタン、ジルコニウム等の低電位金属が選択され、このような材料の膜特性は、非通電状態では、透視不可能の状態となる。本実施例では、ベース３−１が透明材料を用いるのは、洗濯機が作動する時に残り作業時間を明確に示すためであり、凹凸パターン側が真空めっきまたはフィルム転写の方法によって形成された外膜を用いるのは、洗濯機を通電しない場合、何も見えず、洗濯機を通電した後のみに見えることを実現するためである。しかし、外膜３−２だけでは、ＬＥＤライトが見えるので、ユーザは美観が足りないと認識する。ＬＥＤライトが見える課題を解決するために、非凹凸パターン側に白色塗料を塗布し、または拡散油を塗布し、または拡散膜を貼り付ける方法によって、ベース３−１の内面に内膜３−３が形成され、時間表示領域にニスを塗布せず、フィルムを貼り付けないことに注意する必要がある。
【００４４】
さらに、洗濯機の扉体のカラーの多様化のために、ベース３−１の透明材料にカラーマスターバッチを添加し、褐色、暗緑色等にする。
【００４５】
一方、時間表示モジュールと、制御手段と、ライトバンドとは装飾リングに保護されているので、湿気に容易に侵蝕されず、これらの電気部品の信頼性を向上させる。
【００４６】
また、時間表示モジュール４は湿気が侵蝕することによって故障することを回避するために、ガラス７の外周にＵ字状のシールリング６を装着し、シールリング６の内側は中枠と密接させ、ドラムの内部の湿気が電気部品に侵蝕することを効果的に回避する。
【００４７】
図１を詳細に説明すると、装飾リング３の符号は以下に説明し、内から外への順次に、内膜３−３と、ベース３−１と、外膜３−２と、を備える。ベース３−１は、環面領域に対応する電気部品の異なる種類によって、時間表示領域３−１−１と、光表示領域３−１−２と、に分けられている。時間表示領域３−１−１の膜層の厚みは光表示領域３−１−２の膜層の厚みより小さい。
【００４８】
実施例２
【００４９】
図２〜図４に示すように、装飾リングを有する洗濯機の扉体の別の方式である。実施例１と比較して、前記ベース３−１は依然として透明材料を用い、相違点の一つ目は、前記膜層は一層の外膜３−２だけに変更し、外膜３−２は真空めっきまたはフィルム転写の方法によって前記ベースの外面に形成され、内膜を設けない。相違点の二つ目は、装飾リング３と前記中枠５との間に設けられた半透光のシェード１０を備える。シェード１０は、霧化処理させたガラス、またはつや消しガラス、または光透過率が３０％〜９０％である半透明のプラスチックを用い、特に注意するのは、シェード１０は、ベースの時間表示領域３−１−１を被覆せず、光表示領域３−１−２に遮光効果を果たす。シェード１０と中枠５とは、従来の係合フックと係合孔、または位置決め柱と位置決め孔の方法を用いて組立てられている。
【００５０】
図２において、詳細に説明する必要があるのは以下の通りであり、装飾リング３は、内から外への順次に、ベース３−１と、外膜３−２と、を備える。ベース３−１は、環面領域に対応する電気部品の異なる種類によって、時間表示領域３−１−１と、光表示領域３−１−２と、に分けられている。シェード１０は、時間表示領域を遮光せず、洗濯機の動作時、時間表示モジュールが明白に時間表示できるよう保証する。
【００５１】
実施例３
【００５２】
図５に示すように、装飾リングを有する洗濯機の扉体の別の方式である。実施例１と比較して、前記ベース３−１は別々の二つの部分からなり、すなわち、時間表示領域３−１−１が透明材料を用い、前記ベースの光表示領域３−１−２が半透明材料を用い、透明材料の時間表示領域３−１−１はインサート部材として光表示領域とを射出成形で一体全体構造のベース３−１が形成される。前記膜層は一層の外膜３−２だけであり、外膜３−２は真空めっきまたはフィルム転写の方法によって形成されている。ＬＥＤライトは、通電状態での遮蔽は半透明材料によって達成される。
【００５３】
図５において、詳細に説明する必要があるのは以下の通りであり、装飾リング３は、内から外への順次に、ベース３−１と、外膜３−２と、を備える。ベース３−１は、環面領域に対応する電気部品の異なる種類によって、時間表示領域３−１−１と、光表示領域３−１−２と、に分けられている。
【００５４】
本発明は、さらに上記洗濯機の扉体構造を用いる洗濯機及び洗濯機の洗濯方法に関する。次に詳細に説明する。
【００５５】
通電の場合、ユーザは、時間表示モジュールとＬＥＤの光を見ることができ、且つＬＥＤライトを見ることができない。非通電の場合、ユーザは、時間表示モジュールとライトバンドを見ることができず、具体的には以下のステップを含む。
【００５６】
洗濯機を通電し、電源のスイッチボタンを押し、時間表示モジュールが通電されていないので、装飾リングの時間表示領域が照明されず、この時、時間表示モジュールが外部から遮蔽されている。
【００５７】
洗濯機が通電され、洗濯プログラムが選択され、洗濯機は洗濯が必要な全部動作時間を自動的に算出し、制御手段は、時間表示モジュールとライトバンドを制御し、起動ボタンを押して、洗濯行程では、前記装飾リング全体は透視可能状態で、前記時間表示領域における光透過率が光表示領域における光透過率より高く、ユーザは前記時間表示モジュールが表示する残り作動時間、ＬＥＤライトの光とも明示的な状態であることを見ることができるが、ユーザはＬＥＤライトを見ることができない。洗濯が完了して、電気を切断し、前記装飾リング全体は透視不可能の状態となり、時間表示モジュール、ライトバンドとも遮蔽されている。
【産業上の利用可能性】
【００５８】
上記の技術的解決手段を採用することにより、本発明は、洗濯機の扉体の構造を改善し、装飾リングを追加することによって、洗濯機の機能をさらに完璧にする。エルゴ設計によって洗濯機の残り作業時間及びＬＥＤの光を表示し、または遮蔽することができ、即ち、通電の場合、時間表示モジュールとＬＥＤの光とは見え、ＬＥＤライトは見えないが、非通電の場合、遮蔽することができ、時間表示モジュールとＬＥＤライトとを追加しても、洗濯機全体の外観の完璧性に影響を与えず、装飾リングを追加し、時間表示モジュールと、ＬＥＤライトと、制御手段などの電気部品に対して湿気防止、障害回避の保護役割を果たす。
【００５９】
このような洗濯方法の洗濯機は、ユーザが容易に随時に洗濯機の残り動作時間を見ることができ、次のステップを柔軟に計画でき、または適切な時間帯ですすぎの水を受け入れ、繰り返して使用する。時間表示モジュールは、洗濯機全体が作動する間に表示状態になり、洗濯機全体が作動しない間に遮蔽状態になり、機能上でユーザの個性化のニーズを達成し、外観上で洗濯機全体の美しさを保証する。ＬＥＤライトバンドは洗濯機の美観度を向上した。
【００６０】
勿論、本発明は、上記の実施例に限定されるものではなく、適用製品はドラム洗濯機を含むが、ドラム洗濯機に限定されるものではなく、当業者にとって自明である技術的解決手段は、本発明の要旨または範囲から逸脱しない場合、例えばこのような構造は、パルセーター式洗濯機、食器洗い機などの家電製品に応用し、本発明は、このような修正及び変更を行うことで、特許請求の範囲及びその等価の範囲内にある、本発明は、このような修正及び変更をカバーする。
【図１】
2019509828.tif 000003
【図２】
2019509828.tif 000004
【図３】
2019509828.tif 000005
【図４】
2019509828.tif 000006
【図５】
2019509828.tif 000007
【図６】
2019509828.tif 000008
【図７】
2019509828.tif 000009
【図８】
2019509828.tif 000010
【図９】
2019509828.tif 000011
【図１０】
2019509828.tif 000012
【国際調査報告】
2019509828.tif 000013
2019509828.tif 000014
2019509828.tif 000015
2019509828.tif 000016